(57)【要約】【課題】広帯域で高い感度が得られるガラスアンテナを提供する。【解決手段】車両用窓ガラスに配置されるガラスアンテナであって、給電部と、前記給電部から所定の方向に延伸する第１エレメントと、前記第１エレメントと第１の所定の角度において、前記給電部から延伸する第２エレメントと、前記第１エレメント又は前記第２エレメントに第２の所定の角度で接続され、他方のエレメントから離れて配置される第１補助エレメントと、を備える。【選択図】図１
2015149665.tif 000002
【特許請求の範囲】
【請求項１】
車両用窓ガラスに配置されるガラスアンテナであって、
給電部と、
前記給電部から所定の方向に延伸する第１エレメントと、
前記第１エレメントと第１の所定の角度において、前記給電部から延伸する第２エレメントと、
前記第１エレメント又は前記第２エレメントに第２の所定の角度で接続され、他方のエレメントから離れて配置される第１補助エレメントと、を備えることを特徴とするガラスアンテナ。
【請求項２】
前記第１補助エレメントは、前記他方のエレメントと３０ｍｍ以上離れて略平行に配置されることを特徴とする請求項１に記載のガラスアンテナ。
【請求項３】
前記第１補助エレメントは、前記他方のエレメントと１００ｍｍ以上離れて略平行に配置されることを特徴とする請求項１に記載のガラスアンテナ。
【請求項４】
前記第１エレメントは、略水平方向に延伸するエレメントであり、
前記第１補助エレメントは、前記第１エレメントに接続され、垂直方向に延伸することを特徴とする請求項１から３のいずれか一つに記載のガラスアンテナ。
【請求項５】
前記第１補助エレメントの途中又は先端に接続される少なくとも一つの第２補助エレメントを備えることを特徴とする請求項１から４のいずれか一つに記載のガラスアンテナ。
【請求項６】
前記第２補助エレメントは二つ設けられており、
一つの前記第２補助エレメントは、前記第１補助エレメントの途中に接続され、
他の前記第２補助エレメントは、前記第１補助エレメントの先端に接続されることを特徴とする請求項５に記載のガラスアンテナ。
【請求項７】
前記他方のエレメント又は前記給電部に接続される少なくとも一つの第３補助エレメントを備えることを特徴とする請求項１から６のいずれか一つに記載のガラスアンテナ。
【請求項８】
前記第１補助エレメントは、前記第１エレメントに接続されており、
前記第３補助エレメントは、前記第２エレメント又は前記給電部に接続されており、前記第１補助エレメントに近づくように延伸することを特徴とする請求項７に記載のガラスアンテナ。
【請求項９】
前記ガラスアンテナは、
中心周波数の波長をλとする周波数帯を受信するためのアンテナであり、
前記窓ガラスの波長短縮率をαとして、水平方向に延伸する前記第１エレメントの長さは略２αλ／３であり、垂直方向に延伸する前記第２エレメントの長さは略αλ／３であることを特徴とする請求項１から８のいずれか一つに記載のガラスアンテナ。
【請求項１０】
前記第１エレメントの先端部及び前記第２エレメントの先端部の少なくとも一方を折り曲げたことを特徴とする請求項１から９のいずれか一つに記載のガラスアンテナ。
【請求項１１】
前記窓ガラスには、１対のバスバと前記一対のバスバの間に複数の加熱線条が設けられたデフォッガが配置されることを特徴とする請求項１から１０のいずれか一つに記載のガラスアンテナ。
【請求項１２】
前記デフォッガの加熱線条によって第２アンテナが構成され、
前記第２アンテナの給電部は、前記第１エレメントが接続される給電部から遠いバスバに設けられることを特徴とする請求項１１に記載のガラスアンテナ。
【請求項１３】
前記デフォッガのバスバから延伸する第４補助エレメントを備え、
前記第４補助エレメントは、前記第１エレメント、前記第２エレメント又は前記第１補助エレメントに近接し、容量結合することを特徴とする請求項１１又は１２に記載のガラスアンテナ。
【発明の詳細な説明】
【技術分野】
【０００１】
本発明は、ガラス板の表面に配置されるガラスアンテナ関し、特に、広帯域で平坦な特性を得るアンテナに関する。
【背景技術】
【０００２】
ＵＨＦ帯では広い帯域で放送が行われており、例えば、地上デジタルＴＶ放送では４７０〜７７０ＭＨｚの３００ＭＨｚの帯域を使用している。これは、中心周波数（６２０ＭＨｚ）の約±２５％（１５０ＭＨｚ）の帯域が必要である。
【０００３】
一方、ＵＨＦ帯の広い帯域の全域にわたり高い感度を得るガラスアンテナの設計は難しい。
【０００４】
この問題を解決するアンテナとして、特許文献１は受信利得と指向特性を改善したＵＨＦ帯の受信アンテナを開示する。特許文献１に開示されるアンテナは、所望の周波数帯に長さをあわせた水平線条と垂直線条とをそれぞれ共通の給電点から延伸させたアンテナであり、水平偏波及び垂直偏波の両方を受信できるため、指向特性を改善することができる。さらに、複数本の水平線条及び垂直線条とを設けることで、共振周波数が広がり、広い帯域にわたって受信感度を高めることができる。
【先行技術文献】
【特許文献】
【０００５】
【特許文献１】特開平７−２１２１１９号公報
【発明の概要】
【発明が解決しようとする課題】
【０００６】
しかし、特許文献１に記載されたアンテナでは、複数本の水平線条及び垂直線条を接続する場合、隣接する水平線条同士や隣接する垂直線条同士が近接すると、線条が太くなったと同程度に受信帯域が広がる効果しか得られなかった。
【０００７】
本発明は、ＵＨＦ帯の広い帯域内の全域で高い感度が得られるガラスアンテナを提供することを目的とする。
【課題を解決するための手段】
【０００８】
すなわち、本発明は、車両用窓ガラスに配置されるガラスアンテナであって、給電部と、前記給電部から所定の方向に延伸する第１エレメントと、前記第１エレメントと第１の所定の角度において、前記給電部から延伸する第２エレメントと、前記第１エレメント又は前記第２エレメントに第２の所定の角度で接続され、他方のエレメントから離れて配置される第１補助エレメントと、を備えることを特徴とするガラスアンテナである。
【０００９】
また、本発明は、さらに、前記第１補助エレメントは、前記他方のエレメントと３０ｍｍ以上離れて略平行に配置されることを特徴とするガラスアンテナである。
【００１０】
また、本発明は、さらに、前記第１補助エレメントは、前記他方のエレメントと１００ｍｍ以上離れて略平行に配置されることを特徴とするガラスアンテナである。
【００１１】
また、本発明は、さらに、前記第１エレメントは、略水平方向に延伸するエレメントであり、前記第１補助エレメントは、前記第１エレメントに接続され、垂直方向に延伸することを特徴とするガラスアンテナである。
【００１２】
また、本発明は、さらに、前記第１補助エレメントの途中又は先端に接続される少なくとも一つの第２補助エレメントを備えることを特徴とするガラスアンテナである。
【００１３】
また、本発明は、さらに、前記第２補助エレメントは二つ設けられており、一つの前記第２補助エレメントは、前記第１補助エレメントの途中に接続され、他の前記第２補助エレメントは、前記第１補助エレメントの先端に接続されることを特徴とするガラスアンテナである。
【００１４】
また、本発明は、さらに、前記他方のエレメント又は前記給電部に接続される少なくとも一つの第３補助エレメントを備えることを特徴とするガラスアンテナである。
【００１５】
また、本発明は、さらに、前記第１補助エレメントは、前記第１エレメントに接続されており、前記第３補助エレメントは、前記第２エレメント又は前記給電部に接続されており、前記第１補助エレメントに近づくように延伸することを特徴とするガラスアンテナである。
【００１６】
また、本発明は、さらに、前記ガラスアンテナは、中心周波数の波長をλとする周波数帯を受信するためのアンテナであり、前記窓ガラスの波長短縮率をαとして、水平方向に延伸する前記第１エレメントの長さは略２αλ／３であり、垂直方向に延伸する前記第２エレメントの長さは略αλ／３であることを特徴とするガラスアンテナである。
【００１７】
また、本発明は、さらに、前記第１エレメントの先端部及び前記第２エレメントの先端部の少なくとも一方を折り曲げたことを特徴とするガラスアンテナである。
【００１８】
また、本発明は、さらに、前記窓ガラスには、１対のバスバと前記一対のバスバの間に複数の加熱線条が設けられたデフォッガが配置されることを特徴とするガラスアンテナである。
【００１９】
また、本発明は、さらに、前記デフォッガの加熱線条によって第２アンテナが構成され、前記第２アンテナの給電部は、前記第１エレメントが接続される給電部から遠いバスバに設けられることを特徴とするガラスアンテナである。
【００２０】
また、本発明は、さらに、前記デフォッガのバスバから延伸する第４補助エレメントを備え、前記第４補助エレメントは、前記第１エレメント、前記第２エレメント又は前記第１補助エレメントに近接し、容量結合することを特徴とするガラスアンテナである。
【発明の効果】
【００２１】
本発明の代表的な実施形態によれば、広帯域で平坦な特性を得ることができる。
【図面の簡単な説明】
【００２２】
【図１】本発明の第１実施例のアンテナパターンの正面図。
【図２】本発明の第２実施例のアンテナパターンの正面図。
【図３】本発明の第３実施例のアンテナパターンの正面図。
【図４】本発明の第４実施例のアンテナパターンの正面図。
【図５】本発明の第５実施例のアンテナパターンの正面図。
【図６】本発明の第６実施例のアンテナパターンの正面図。
【図７】本発明の第４実施例のアンテナの周波数特性図。
【図８】本発明の第５実施例のアンテナの周波数特性図。
【図９】本発明の第６実施例のアンテナの周波数特性図。
【図１０】本発明の第６実施例のアンテナの周波数特性図。
【発明を実施するための形態】
【００２３】
図１から図６は、本発明の実施形態のガラスアンテナを車内側から見た図である。
【００２４】
図１に示すように、本発明の実施形態のガラスアンテナは、自動車のリヤガラスに設けられ、給電部６と、給電部６から延伸する第１エレメント１と、給電部６から第１エレメント１と異なる方向に延伸する第２エレメント２と、第１エレメント１から延伸する第１補助エレメント３とを有する。第１補助エレメント３は、好ましくは、その先端が第２エレメント２と離隔して配置され、第２エレメント２と同一方向に延伸する。なお、第１補助エレメント３と第２エレメント２との離隔は、両エレメントが独立したエレメントとして機能できる距離だけ離れて配置されることを意味する。具体的には、両エレメントを、３０ｍｍ以上離して、ほとんど容量結合しない距離で配置することが望ましい。
【００２５】
第１エレメント１と第２エレメント２とは、望ましくは、略直交するように延伸する。より具体的には、第１エレメント１は、水平偏波の電波を受信するために、給電部６から略水平方向に延伸し、第２エレメント２は、垂直偏波の電波を受信するために、給電部６から略垂直方向に延伸するとよい。
【００２６】
給電部６は、接続線（例えば、ＡＶ電線）８５によって受信アンプ８６に接続され、受信アンプ８６は高周波ケーブル（例えば、同軸ケーブル）によって受信機に接続される。また、受信アンプ８６はアース（車体）に接続される。
【００２７】
また、図２に示すように、第１補助エレメント３は、その先端が第２エレメント２と離隔して配置され、第２エレメント２の延伸方向と反対方向に延伸してもよい。
【００２８】
また、図３に示すように、第１補助エレメント３は、その先端が第１エレメント１と離隔して配置され、第２エレメント２に接続され、第１エレメント１の延伸方向と同一方向に延伸してもよい。
【００２９】
また、図４、図５、図６に示すように、第１補助エレメント３から延伸する第２補助エレメント４を有してもよい。第２補助エレメント４は、好ましくは、その先端が第１エレメント１と離隔して配置され、第１エレメント１の延伸方向と同一方向に延伸する。第２補助エレメント４は、第１補助エレメント３の途中に接続されても、先端部に接続されてもよい。
【００３０】
さらに、図４、図５、図６に示すように、第１エレメント１に沿って延伸する第３補助エレメント５を有してもよい。第３補助エレメント５は、給電部６から延伸しても、第２エレメント２から延伸してもよい。
【００３１】
また、図５、図６に示すように、第１補助エレメント３の先端部を折り曲げた折曲部３Ｂを形成してもよい。なお、折曲部３Ｂは、右方向に延伸した第２補助エレメント４として把握することもできる。
【００３２】
また、図６に示すように、第２エレメント２の先端部を折り曲げた折曲部２Ｂを形成してもよい。なお、図示は省略するが、第１エレメント１の先端部を（例えば、上方向に）折り曲げた折曲部を形成してもよい。
【００３３】
さらに、図６に示すように、複数の第２補助エレメント４を設けてもよい。複数の第２補助エレメント４は、互いに沿って延伸する。この場合、一本の第２補助エレメント４は第１補助エレメント３の途中に接続され、他の第２補助エレメント４は第１補助エレメント３の先端に接続してもよい。
【００３４】
さらに、図６に示すように、本実施形態のアンテナは、デフォッガ９０が設けられるリヤガラス８１に配置されてもよい。
【００３５】
さらに、図６に示すように、デフォッガ９０のバスバ９３から延伸し、第１エレメント１に近接して容量結合する第４補助エレメント８９を設けてもよい。さらに、第４補助エレメント８９が、第１エレメント１、前記第２エレメント２、第１補助エレメント３、第２補助エレメント４、第３補助エレメント５のいずれに近接して配置され、容量結合してもよい。
【００３６】
本発明の実施形態のアンテナは、そのパターンを窓ガラス板の室内面側の所定位置に、導電性のセラミックペーストによって各線条の幅を約０．７ｍｍで印刷し、乾燥後、加熱炉によって焼付けして形成される。また、光を透過する樹脂フィルム上に形成された導電性のパターンによってアンテナを形成して、ガラス板に貼り付けてもよい。
【００３７】
以上に、本発明の実施形態について、自動車のリヤガラス８１にアンテナを設ける形態を説明したが、本発明の実施形態のアンテナは、他の箇所（例えば、フロントガラス、サイドガラス）に設けてもよい。
【００３８】
本発明の実施形態のアンテナの各エレメントの長さは、各実施例で後述するように、ＵＨＦ帯の地上デジタルＴＶ放送波（４７０〜７７０ＭＨｚ）を受信するために好適な長さに調整される。なお、ＵＨＦ帯と同様にＶＨＦ帯を受信するために好適なアンテナとすることもできる。
【００３９】
次に、本発明の実施形態のガラスアンテナの作用について説明する。
【００４０】
本実施形態のアンテナは、給電部６から所定の方向（例えば、水平方向）に延伸する第１エレメント１と、第１エレメント１と第１の所定の角度において（例えば、直角に）、給電部６から（例えば、垂直方向に）延伸する第２エレメント２と、第１エレメント１に第２の所定の角度（例えば、直角）で接続され、第２エレメント２から離れて配置される第１補助エレメント３と、を備えるので、広帯域で平坦な特性を得ることができる。
【００４１】
特に、水平方向に延伸する第１エレメント１の長さを略２αλ／３とし、垂直方向に延伸する第２エレメント２の長さを略αλ／３としたので（中心周波数の波長＝λ、ガラスの波長短縮率＝α）、第１エレメント１によって受信周波数の全帯域にわたる感度を調整し、第２エレメント２によって垂直偏波に対する低域側の感度を調整することができ、全帯域で平坦な特性を得ることができる。
【００４２】
また、第１エレメント１及び第２エレメント２から離れた位置に、第１補助エレメント３を設けることによって、複数の平行なエレメントを設け、これによって、受信帯域で全体的にアンテナ感度を向上することができる。
【００４３】
また、第１補助エレメント３と第２エレメント２とが３０ｍｍ以上離れて略平行に配置されるので、両エレメント間の容量結合が弱くなり、第１補助エレメント３と第２エレメント２とが相互に独立したエレメントとして機能することができる。このため、両エレメントを３０ｍｍ程度離れ配置すれば、第１補助エレメント３の長さや配置を調整することによって、高域側の感度を調整することができる。
【００４４】
また、第１補助エレメント３と第２エレメント２とが１００ｍｍ以上離れて略平行に配置されるので、第３補助エレメント５を取り付ける領域を確保することができる。
【００４５】
また、第１エレメント１は、略水平方向に延伸するエレメントであり、第１補助エレメント３が第１エレメント１に接続され、垂直方向に延伸するので、垂直偏波の信号に対して高い感度を得ることができる。
【００４６】
また、第１補助エレメント３の途中又は先端に接続される少なくとも一つの第２補助エレメント４を備えるので、受信帯域において高感度が得られる周波数を調整することができる。
【００４７】
また、一本の第２補助エレメント４を第１補助エレメント３の途中に接続し、他の第２補助エレメント４を第１補助エレメント３の先端に接続することによって、受信帯域の感度をより向上することができる。
【００４８】
また、第２エレメント２又は給電部６に接続される少なくとも一つの第３補助エレメントを備えるので、受信帯域の高域側における感度を向上することができる。
【００４９】
また、第３補助エレメント５は、第１補助エレメントに近づくように延伸するので、受信帯域の感度をより向上することができる。
【００５０】
また、第１エレメント１の先端部及び第２エレメント２の先端部の少なくとも一方を折り曲げて折曲部を設けたので、エレメント長を短くすることなく、狭い領域にもアンテナを配置することができる。
【００５１】
また、本実施例のアンテナとデフォッガ９０とを窓ガラスに配置しても、ＵＨＦの受信帯域において高い感度を得ることができる。
【００５２】
また、デフォッガ９０の加熱線条９１によって第３アンテナ６０を構成する。すなわち、デフォッガ９０にアンテナ用の給電部９５を設けて、デフォッガ９０をアンテナとして用いることによって、ダイバーシティアンテナを構成する。ＵＨＦ帯域の信号をダイバーシティ受信することによって、感度を向上し、指向性を改善することができる。
【００５３】
また、第３アンテナ６０の第３給電部９５は、第１エレメント１が接続される給電部６から遠いバスバ９３に設けるので、ダイバーシティ効果を高めることができる。
【００５４】
また、デフォッガ９０のバスバ９３から延伸し、第１エレメント１に近接し容量結合する第４補助エレメント８９を備えるので、受信帯域の高域側の感度を調整することができる。また、第３アンテナ６０の感度も向上することができる。
【実施例】
【００５５】
以下、本発明の種々の実施例について説明する。
【００５６】
＜実施例１＞
図１は、本発明の第１実施例のアンテナパターンを示し、自動車のリヤガラスに設けるガラスアンテナの正面図である。
【００５７】
第１実施例のガラスアンテナは、給電部６と、給電部６から略水平方向（左方）に延伸する第１エレメント１と、給電部６から略垂直方向（上方）に延伸する第２エレメント２と、第１エレメント１から上方に延伸する第１補助エレメント３とを有する。第１補助エレメント３は、第２エレメント２と離隔して配置され、第２エレメント２の延伸方向と同一方向（例えば、略平行）に延伸する。
【００５８】
第１実施例のガラスアンテナの各エレメントの長さは、ＵＨＦ帯の地上デジタルテレビ放送帯域を受信するために好適な長さに調整されており、第１エレメント１の長さが２２０ｍｍ、第２エレメント２の長さが７５ｍｍ、第１補助エレメント３の長さが５０ｍｍである。すなわち、リヤガラス８１の波長短縮率αが０．７であり、地上デジタルテレビ放送帯域の中心周波数（波長＝λ）を６２０ＭＨｚとすると、第１エレメント１の長さは略２αλ／３となる。
【００５９】
第１実施例では、第１エレメント１によって受信周波数の全帯域にわたる感度を調整し、第２エレメント２によって低域側の感度を調整することができ、全帯域で平坦な特性を得ることができる。
【００６０】
また、第１補助エレメント３を、第１エレメント１及び第２エレメント２から離れた位置に設けることによって、複数の平行なエレメントを離隔して設ける。これによって、受信帯域で全体的にアンテナ感度を向上することができる。すなわち、給電部から延伸する２本のエレメント１、２だけでは、受信周波数の全帯域にわたるインピーダンスマッチングが難しいことから、第１補助エレメント３によって、広い周波数帯域におけるインピーダンスが所望の値に近くなり、アンテナ感度を向上させることができる。
【００６１】
また、第２エレメント２が受信周波数の低域側でのアンテナ感度の調整に寄与し、第１補助エレメント３が高域側のアンテナ感度の調整に寄与するため、受信周波数の全帯域におけるアンテナ感度を向上することができる。
【００６２】
＜実施例２＞
図２は、本発明の第２実施例のアンテナパターンを示し、自動車のリヤガラスに設けるガラスアンテナの正面図である。
【００６３】
第２実施例のガラスアンテナでは、第１補助エレメント３の延伸方向が、第１実施例と異なる。
【００６４】
第２実施例のガラスアンテナは、給電部６と、第１エレメント１と、第２エレメント２と、第１補助エレメント３とを有する。第２実施例の第１補助エレメント３は、第２エレメント２と離隔して配置され、第２エレメント２の延伸方向と反対方向（例えば、略平行）に延伸する。
【００６５】
第２実施例の前述以外の構成は、第１実施例と同じであるため、同じ符号を付し、それらの説明は省略する。
【００６６】
第２実施例では、前述した第１実施例と同様に、全帯域で平坦な特性を得ることができる。なお、第１実施例のアンテナの方が設置面積を小さくすることができる。
【００６７】
＜実施例３＞
図３は、本発明の第３実施例のアンテナパターンを示し、自動車のリヤガラスに設けるガラスアンテナの正面図である。
【００６８】
第３実施例のガラスアンテナでは、第１補助エレメント３の配置が、第１実施例と異なる。
【００６９】
第３実施例のガラスアンテナは、給電部６と、第１エレメント１と、第２エレメント２と、第１補助エレメント３とを有する。第３実施例の第１補助エレメント３は、第１エレメント１と離隔して配置され、第１エレメント１の延伸方向と同一方向（例えば、略平行）に、第２エレメント２から延伸する。
【００７０】
第３実施例の前述以外の構成は、第１実施例と同じであるため、同じ符号を付し、それらの説明は省略する。
【００７１】
第３実施例では、前述した第１実施例と同様に、全帯域で平坦な特性を得ることができる。なお、第１実施例のアンテナの方が高感度を得ることができる。
【００７２】
＜実施例４＞
図４は、本発明の第４実施例のアンテナパターンを示し、自動車のリヤガラスに設けるガラスアンテナの正面図である。
【００７３】
第４実施例のガラスアンテナは、第２補助エレメント４及び第３補助エレメント５を有する点が第１実施例と異なる。
【００７４】
第４実施例のガラスアンテナは、給電部６と、第１エレメント１と、第２エレメント２と、第１補助エレメント３と、第２補助エレメント４と、第３補助エレメント５とを有する。第４実施例の第１補助エレメント３は、第２エレメント２と離隔して配置され、第２エレメント２の延伸方向と同一方向（例えば、略平行）に延伸する。
【００７５】
第２補助エレメント４は、第１補助エレメント３に接続し、第１エレメント１と離隔して配置され、第１エレメント１の延伸方向と同一方向（例えば、略平行）に延伸する。第２補助エレメント４の長さは１００ｍｍで、第１補助エレメント３の先端から５ｍｍの位置に接続される。第２補助エレメント４は、第１補助エレメント３の途中に接続されても、先端部に接続されてもよい。
【００７６】
第３補助エレメント５は、給電部６に接続し、第１エレメント１に沿って（例えば、略平行）に延伸する。なお、第３補助エレメント５は、給電部６から延伸せず、第２エレメント２から延伸してもよい。第３補助エレメント５の長さは９５ｍｍで、第１エレメント１と８ｍｍの間隔で平行に配置される。なお、第３補助エレメント５は、その先端が第１補助エレメント３に接触しなければ、長い方がよい。このため、第１補助エレメント３と第２エレメント２とを１００ｍｍ以上離して配置すると、第３補助エレメント５を長くすることができる。
【００７７】
第４実施例の前述以外の構成は、第１実施例と同じであるため、同じ符号を付し、それらの説明は省略する。
【００７８】
なお、第４実施例において、第２補助エレメント４及び第３補助エレメント５の両方を設けたが、第２補助エレメント４又は第３補助エレメント５の一方を有するガラスアンテナも本発明の範疇に含まれる。
【００７９】
第４実施例では、第１補助エレメント３の途中又は先端に接続される第２補助エレメント４によって、受信帯域において高感度が得られる周波数を調整することができる。特に、第２補助エレメント４を第１補助エレメント３の途中に接続することによって、全帯域における感度を向上させつつ、特定の帯域における感度を容易に調整することができる。また、第３補助エレメント５によって、受信帯域の感度をより向上することができる。
【００８０】
＜実施例５＞
図５は、本発明の第５実施例のアンテナパターンを示し、自動車のリヤガラスに設けるガラスアンテナの正面図である。
【００８１】
第５実施例のガラスアンテナは、第１補助エレメント３の先端に折曲部３Ｂを形成した点が第４実施例と異なる。
【００８２】
第５実施例のガラスアンテナは、給電部６と、第１エレメント１と、第２エレメント２と、第１補助エレメント３と、第２補助エレメント４と、第３補助エレメント５とを有する。第５実施例の第１補助エレメント３は、第２エレメント２と離隔して配置され、第２エレメント２の延伸方向と同一方向（例えば、略平行）に延伸する本体部３Ａと、本体部３Ａの先端から略直角に屈曲して第２エレメント２に向かって右方向に延伸する折曲部３Ｂを有する。折曲部３Ｂは、第１エレメント１と離隔して配置され、第１エレメント１の延伸方向と反対方向（例えば、略平行）に延伸する。本体部３Ａの長さは５０ｍｍであり、折曲部３Ｂの長さは４５ｍｍである。また、折曲部３Ｂは、第１補助エレメント３の先端部に接続されても、途中に接続されてもよい。
【００８３】
なお、第１補助エレメント３において、第２補助エレメント４が第１補助エレメント３に接続される箇所と、折曲部３Ｂが本体部３Ａに接続される箇所とは、異なる位置であるとよい。すなわち、第２補助エレメント４と折曲部３Ｂは、第１補助エレメント３の本体部３Ａに対して段違いになるように接続するとよい。
【００８４】
また、前述したように、折曲部３Ｂを右方向に延伸した第２補助エレメント４として把握した場合、第２補助エレメント４同士は、互いに段違いになるように接続するとよい。
【００８５】
第５実施例の前述以外の構成は、第４実施例と同じであるため、同じ符号を付し、それらの説明は省略する。
【００８６】
第５実施例では、第１補助エレメント３の先端部を折り曲げて折曲部３Ｂを設けたので、狭い領域にもアンテナを配置することができる。
【００８７】
＜実施例６＞
図６は、本発明の第６実施例のアンテナパターンを示し、自動車のリヤガラス８１に設けるガラスアンテナの正面図である。
【００８８】
第６実施例のガラスアンテナは、第５実施例のガラスアンテナと類似した構成のアンテナが、第４アンテナ７０として実装され、さらに、第１アンテナ１０、第２アンテナ５０、第３アンテナ６０及び第５アンテナ１００によって構成される。第６実施例の第４アンテナ７０は、第２補助エレメント４を複数設け、第２エレメント２の先端に折曲部２Ｂを形成した点が第５実施例のガラスアンテナと異なる。
【００８９】
第６実施例の第４アンテナ７０は、給電部６と、第１エレメント１と、第２エレメント２と、第１補助エレメント３と、第２補助エレメント４と、第３補助エレメント５とを有する。第６実施例の第２エレメント２は、給電部６から略垂直方向（上方）に延伸する本体部２Ａと、本体部２Ａの先端から略直角に屈曲して右方に延伸する折曲部２Ｂを有する。折曲部２Ｂは、第１エレメント１と離隔して配置され、第１エレメント１の延伸方向と同一方向（例えば、略平行）に延伸する。本体部２Ａの長さは７５ｍｍであり、折曲部２Ｂの長さは３０ｍｍである。リヤガラス８１の波長短縮率αが０．７であり、地上デジタルテレビ放送帯域の中心周波数（波長＝λ）を６２０ＭＨｚとすると、第２エレメント２の合計の長さは略αλ／３となる。また、折曲部２Ｂは、第２エレメント２の先端部に接続されても、途中に接続されてもよい。折曲部２Ｂが第２エレメント２の途中に接続される場合、第２エレメントの長さは給電部６から折曲部２Ｂの先端までの長さと考えるとよい。
【００９０】
第６実施例の２本の第２補助エレメント４は、第１エレメント１と離隔して平行に配置され、第１補助エレメント３に接続し、第１エレメント１の延伸方向と同一方向（例えば、略平行）に延伸する。各第２補助エレメント４の長さは１００ｍｍで、上側の第２補助エレメント４は第１補助エレメント３の本体部３Ａの先端から５ｍｍの位置に接続され、２本の第２補助エレメント４は５ｍｍの間隔で平行に配置される。第２補助エレメント４は、２本が第１補助エレメント３の途中に接続されても、１本が先端部に接続されてもよい。
【００９１】
第６実施例の第４アンテナ７０の前述以外の構成は、第５実施例のガラスアンテナと同じであるため、同じ符号を付し、それらの説明は省略する。
【００９２】
なお、第６実施例の第４アンテナ７０は、図示した構成の他、前述したいずれの実施例のガラスアンテナを用いてもよい。
【００９３】
第６実施例の第４アンテナ７０では、第２補助エレメント４を複数設けたので、受信帯域においてより高い感度を得ることができる。また、第２エレメント２の先端に折曲部２Ｂを形成したので、エレメント長を短くすることなく、狭い領域にもアンテナを配置することができる。
【００９４】
次に、第６実施例のガラスアンテナにおける第４アンテナ７０以外の構成について説明する。
【００９５】
第１アンテナ１０は、第１給電部１５と、水平第１エレメント１１と、水平第２エレメントと、垂直エレメント３１と、補助エレメント１２、１３とを有する。
【００９６】
水平第１エレメント１１は、第１給電部１５に接続され、略水平方向（図において左方向）に延伸する。前記水平第２エレメントは、第１給電部１５に接続され、水平第１エレメント１１の延伸方向と同一方向で（図において右方向）、水平第１エレメント１１に沿って略平行に延伸する。前記水平第２エレメントは、第１給電部１５から延伸する本体部２１と、本体部２１の端部において下方向に折り返され、本体部２１に沿って略平行でかつ第１給電部１５に近づく方向に延伸する折り返し部２２とによって構成される。
【００９７】
垂直エレメント３１は、水平第１エレメント１１の延伸方向及び水平第２エレメントの延伸方向と異なる方向に第１給電部１５から延伸する。補助エレメント１２は、第１エレメントの垂直部と水平部との交点から下方に延伸した後、水平第１エレメント１１に沿って略平行に配置される。また、補助エレメント１２は、デフォッガ９０の最上部の加熱線条９１と容量結合するように、デフォッガ９０に沿って近接して（例えば、５ｍｍ離隔して平行に）配置される。補助エレメント１３は、第１エレメントの垂直部から右方に延伸して、水平第１エレメント１１に沿って略平行に配置される。
【００９８】
第１アンテナ１０の各エレメントの長さは、ＦＭラジオ放送帯域及びＤＡＢのバンド３を好適に受信するように調整される。
【００９９】
第２アンテナ５０は、複数の水平線条５２と、水平線条５２を接続する複数の垂直線条５３と、水平線条５２の端部に設けられる第２給電部５４と、折り返し部５６、５７とを有する。水平線条５２の一つは、第１アンテナ１０の補助エレメント１３と折り返し部２２との間に配置される。折り返し部５６、５７は、最上部の水平線条５２から上方向に延伸し、横方向に折り返され、水平線条５２に沿って近接して（例えば、５ｍｍ離隔して平行に）延伸する。折り返し部５６、５７は、車体のボディフランジ８２に近接して（例えば、５ｍｍ離隔して平行に）配置され、第２アンテナ５０とボディフランジ８２（すなわち、アース）とが容量結合する。第２アンテナ５０は、ＡＭラジオ放送帯域（５２６．５〜１６０６．５ｋＨｚ）を受信するために好適な面積に、各線条が配置される。
【０１００】
第３アンテナ６０はデフォッガ９０の線条によって構成され、デフォッガ９０が第３アンテナとして機能する。
【０１０１】
第３アンテナ６０として機能するデフォッガ９０は、リヤガラス８１の左右に設けられた一対のバスバ９３と、二つのバスバ９３の間を接続する複数の加熱線条９１（水平線条）と、複数の加熱線条９１間を接続する垂直線条９２とを有する。垂直線条９２の数は１本でも複数でもよい。
【０１０２】
バスバ９３には、デフォッガコイル９４及び第３給電部９５が設けられる。すなわち、一方のバスバ９３はデフォッガコイル９４を介して電源に接続し、他方のバスバ９３はデフォッガコイル９４を介してアースに接続する。デフォッガコイル９４によって、電源及びアースから第３アンテナ６０に流入する受信周波数帯のノイズを抑制する。
【０１０３】
デフォッガコイル９４及び第３給電部９５は、バスバ９３の中央部に、デフォッガコイル９４を上側、第３給電部９５を下側に配置したが、デフォッガコイル９４及び第３給電部９５を配置する位置はバスバ９３上であればどこでもよい。さらに、デフォッガコイル９４及び第３給電部９５を配置する順序（上下の位置関係）も、図示したものに限らない。
【０１０４】
第１アンテナ１０と第３アンテナ６０とによってダイバーシティアンテナを構成し、ＦＭラジオ放送波及びＤＡＢのバンド３の放送波の少なくとも一つをダイバーシティ受信してもよい。この場合、第３アンテナ６０（デフォッガ９０）がＦＭラジオ放送波及びＤＡＢのバンド３の放送波を受信する場合、第１アンテナ１０から遠い（例えば、右側の)バスバ９３に給電部９５を設けるとよい。
【０１０５】
また、第１アンテナ１０と第４アンテナ７０とによってダイバーシティアンテナを構成し、ＴＶ放送波をダイバーシティ受信してもよい。
【０１０６】
また、第３アンテナ６０は、バスバ９３から延伸する平行補助線条９６、９７、９８と、第４補助エレメント８９とを有する。
【０１０７】
各平行補助線条９６、９７、９８の端部は、互いに離れた位置にある。また、平行補助線条９６の一部と平行補助線条９７の一部とは、互いに沿うように略平行に近接して配置される。さらに、平行補助線条９７の一部と平行補助線条９８の一部とは、互いに沿うように略平行に近接して配置される。このように、各平行補助線条９６、９７、９８の２本をオーバーラップするように配置するので、各平行補助線条が端部で容量結合する。なお、平行補助線条の一部でなく、ほぼ全部が互いに沿うように近接して配置されてもよい。
【０１０８】
第４補助エレメント８９は、右側の（第４アンテナ７０に近い）バスバ９３から上方に延伸し、左方向に屈曲して延伸する。なお、第４補助エレメント８９は、最外側の水平線条９１から延伸してもよい。
【０１０９】
第５アンテナ１００は、第５給電部１０１、複数の垂直線条及び１本の水平線条を有する。
【０１１０】
各給電部１５、５４、９５、１０１は、接続線（例えば、ＡＶ電線）によって受信アンプと接続され、受信アンプは高周波ケーブル（例えば、同軸ケーブル）によって受信機に接続される。受信アンプはアース（車体）に接続される。
【０１１１】
第６実施例では、第１アンテナ１０と第４アンテナ７０とでダイバーシティ受信をするので、到来波を受信しやすくなり、受信性能を向上することができる。
【０１１２】
＜アンテナの特性＞
次に、本実施例のアンテナの特性について説明する。
【０１１３】
以下（図７〜図１０）は、以下に説明するエレメントの配置又は長さを変えた場合のアンテナ感度の説明であり、他のエレメントの構成は変えていない。また、アンテナ感度は、水平面内の全方向（３６０度）のアンテナ感度を測定し、その平均を計算した値である。
【０１１４】
図７は、第６実施例のアンテナにおいて第１補助エレメント３の有無による地上デジタルＴＶ放送帯域における垂直偏波の信号に対する第４アンテナ７０の利得（感度）を示す。なお、測定に使用した第４アンテナ７０は、図６に示す構成と異なり、第１補助エレメント３が折曲部３Ｂを有さず（本体部３Ａのみを有する）、第２補助エレメント４を有さない。また、他のエレメントの長さは前述したもので一定とした。図７では、第１補助エレメント３を設けた場合の特性を実線で示し、設けない場合の特性を破線で示す。なお、第１補助エレメント３は直線で、その長さは９５ｍｍとし、他のエレメントの長さ及び配置は図４に示したとおりである。図７によると、第１補助エレメント３を設けた場合が、低域側での利得の落ち込みが小さく、かつ帯域内の平均利得が高かった。
【０１１５】
図８は、第６実施例のアンテナにおいて第１補助エレメント３に折曲部３Ｂを設けた場合、本体部３Ａの長さを変化させたときの地上デジタルＴＶ放送帯域における垂直偏波の信号に対する第４アンテナ７０の利得（感度）を示す。なお、測定に使用した第４アンテナ７０は、図６に示す構成と異なり、第２補助エレメント４を有さない。また、他のエレメントの長さは前述したもので一定とした（例えば、折曲部３Ｂの長さは４５ｍｍである。）。図８では、本体部３Ａの長さを５０ｍｍとした場合の特性を実線で示し、６０ｍｍとした場合の特性を点線で示し、７０ｍｍとした場合の特性を破線で示し、４０ｍｍとした場合の特性を一点鎖線で示す。図８によると、本体部３Ａの長さを５０〜６０ｍｍとした場合が、低域側での利得の落ち込みが小さく、かつ帯域内の平均利得が最も高かった。
【０１１６】
また、図７の実線と図８の実線とを比較することによって、第１補助エレメント３の折曲部３Ｂの有無による地上デジタルＴＶ放送帯域における特性の変化を知ることができる。これによると、折曲部３Ｂを設けた場合（図８）が、受信帯域における平均感度はほとんど変らないが、低域側の感度が向上し、受信周波数の全域にわたって感度が平坦化した。
【０１１７】
図９は、第６実施例のアンテナにおいて第２補助エレメント４を本体部３Ａへ接続する位置を変化させたときの地上デジタルＴＶ放送帯域における垂直偏波の信号に対する第４アンテナ７０の利得（感度）を示す。すなわち、図９は、第２補助エレメント４を、折曲部３Ｂを有する第１補助エレメント３の本体部３Ａに接続するか、屈曲点（本体部３Ａと折曲部３Ｂの接続点）に接続するかによる特性の違いを示す。図９では、上側の第２補助エレメント４を本体部３Ａの先端から５ｍｍの位置（折曲部３Ｂの接続位置と異なる位置）に接続した場合の特性を実線で示し、上側の第２補助エレメント４を本体部３Ａの先端（折曲部３Ｂの接続位置と同じ位置）に接続した場合の特性を点線で示す。いずれの場合も、２本の第２補助エレメント４を設け、その間隔は５ｍｍとした。図９によると、上側の第２補助エレメント４を本体部３Ａの先端から５ｍｍの位置に接続した場合が、中域側での利得の落ち込みが小さく、かつ帯域内の平均利得が高かった。
【０１１８】
図１０は、第６実施例のアンテナにおいて第４補助エレメント８９の有無による地上デジタルＴＶ放送帯域における垂直偏波の信号に対する第４アンテナ７０の利得（感度）を示す。図１０では、第４補助エレメント８９を設けた場合の特性を実線で示し、設けない場合の特性を破線で示す。図１０によると、第４補助エレメント８９を設けた場合が、高域側での利得の落ち込みが小さく、かつ帯域内の平均利得が高かった。
【０１１９】
なお、図７〜図１０を用いて、垂直偏波の信号に対するアンテナ感度を説明したが、同様に、水平偏波に対しても良好なアンテナ感度が得られた。
【０１２０】
以上、本発明を添付の図面を参照して詳細に説明したが、本発明はこのような具体的構成に限定されるものではなく、添付した請求の範囲の趣旨内における様々な変更及び同等の構成を含むものである。
【符号の説明】
【０１２１】
１  第１エレメント
２  第２エレメント
３  第１補助エレメント
４  第２補助エレメント
５  第３補助エレメント
６  給電部
１０  第１アンテナ
５０  第２アンテナ
６０  第３アンテナ
７０  第４アンテナ
８１  リヤガラス
８２  ボディフランジ
８５  接続線
８６  受信アンプ
８９  第４補助エレメント
９０  デフォッガ
９１  加熱線条（水平線条）
９２  垂直線条
９３  バスバ
９４  デフォッガコイル
９５  第３給電部
９６、９７、９８  補助線条
９９  水平補助線条
１００  第５アンテナ
【図１】
2015149665.tif 000003
【図２】
2015149665.tif 000004
【図３】
2015149665.tif 000005
【図４】
2015149665.tif 000006
【図５】
2015149665.tif 000007
【図６】
2015149665.tif 000008
【図７】
2015149665.tif 000009
【図８】
2015149665.tif 000010
【図９】
2015149665.tif 000011
【図１０】
2015149665.tif 000012